(57)【要約】【課題】  空調機から能動的に温度を変化させて、空調の効果を判断することができる空調効果測定システム、その方法、情報処理装置を提供する。【解決手段】  情報処理装置３０は、温度設定変動部３１で、設定温度の空調を行う空調機２０の温度設定を変動し、温度情報収集部３２で冷却対象機器１０が測定した温度情報を収集し、収集した温度情報に基づいて温度変動解析部３３で温度変動を解析し、気流推測部３４で空気の流れを推測する。【選択図】  図１
2006010258.tif 000002
【特許請求の範囲】
【請求項１】
空調による冷却対象機器と、その冷却対象機器と接続されている情報処理装置を含む空調効果測定システムであって、
前記冷却対象機器は自機および／またはその近傍の温度を測定する温度測定手段を備え、
前記情報処理装置は、
設定された温度の空調を行う空調機構と、
前記空調機構の温度設定を変動する温度設定変動手段と、
前記冷却対象機器の前記温度測定手段によって測定された温度情報を収集する温度情報収集手段と、
前記温度設定変動手段の温度設定を上昇または下降させる指示を出し、前記温度情報収集手段によって収集された温度情報に基づいて、温度変動を解析する温度変動解析手段と、
を備えることを特徴とする空調効果測定システム。
【請求項２】
設定された温度の空調を行う空調機と、その空調機の空調による冷却対象機器と、その冷却対象機器と接続されている情報処理装置を含む空調効果測定システムであって、
前記冷却対象機器は自機および／またはその近傍の温度を測定する温度測定手段を備え、
前記情報処理装置は、
前記空調機の温度設定を変動する温度設定変動手段と、
前記冷却対象機器の前記温度測定手段によって測定された温度情報を収集する温度情報収集手段と、
前記温度設定変動手段の温度設定を上昇または下降させる指示を出し、前記温度情報収集手段によって収集された温度情報に基づいて、温度変動を解析する温度変動解析手段と、
を備えることを特徴とする空調効果測定システム。
【請求項３】
前記情報処理装置は、前記温度変動解析手段によって解析された温度変動情報に基づいて、冷却対象機器の周囲の空気の流れを推測する気流推測手段を備えることを特徴とする請求項１または２記載の空調効果測定システム。
【請求項４】
前記情報処理装置は、前記温度変動解析手段および／または前記気流推測手段による分析結果に基づいてアラームを表示する表示手段を備えることを特徴とする請求項１から３のいずれか１項に記載の空調効果測定システム。
【請求項５】
空調による冷却対象機器と、その冷却対象機器と接続されている情報処理装置を利用した空調効果測定方法であって、
前記冷却対象機器は、温度測定手段によって、自機および／またはその近傍の温度を測定するステップを有し、
前記情報処理装置は、
温度変動解析手段によって、温度設定変動手段の温度設定を上昇または下降させる指示を出すステップと、
前記温度設定変動手段によって前記空調機構の温度設定を変動するステップと、
空調機構によって設定された温度の空調を行うステップと、
温度情報収集手段によって、前記冷却対象機器の前記温度測定手段で測定された温度情報を収集するステップと、
温度変動解析手段によって、前記温度情報収集手段で収集された温度情報に基づいて、温度変動を解析するステップと、
を有することを特徴とする空調効果測定方法。
【請求項６】
設定された温度の空調を行う空調機と、その空調機の空調による冷却対象機器と、その冷却対象機器と接続されている情報処理装置を利用した空調効果測定方法であって、
前記冷却対象機器は、温度測定手段によって、自機および／またはその近傍の温度を測定するステップを有し、
前記情報処理装置は、
温度変動解析手段によって、前記温度設定変動手段の温度設定を上昇または下降させる指示を出すステップと、
温度設定変動手段によって、前記空調機の温度設定を変動するステップと、を有し、
前記空調機は、設定された温度の空調を行うステップを有し、
前記情報処理装置は、さらに、
温度情報収集手段によって前記冷却対象機器の前記温度測定手段で測定された温度情報を収集するステップと、
温度変動解析手段によって、前記温度情報収集手段で収集された温度情報に基づいて、温度変動を解析するステップと、
を有することを特徴とする空調効果測定方法。
【請求項７】
前記情報処理装置は、気流推測手段によって、前記温度変動解析手段で解析された温度変動情報に基づいて、冷却対象機器の周囲の空気の流れを推測するステップをさらに有することを特徴とする請求項５または６記載の空調効果測定方法。
【請求項８】
前記情報処理装置は、表示手段によって、前記温度変動解析手段および／または前記気流推測手段による分析結果に基づいてアラームを表示するステップをさらに有することを特徴とする請求項５から７のいずれか１項に記載の空調効果測定方法。
【請求項９】
設定された温度の空調を行う空調機構と、
前記空調機構の温度設定を変動する温度設定変動手段と、
測定された温度情報を収集する温度情報収集手段と、
前記温度設定変動手段の温度設定を上昇または下降させる指示を出し、前記温度情報収集手段によって収集された温度情報に基づいて、温度変動を解析する温度変動解析手段と、
を備えることを特徴とする情報処理装置。
【請求項１０】
設定された温度の空調を行う空調機の温度設定を変動する温度設定変動手段と、
測定された温度情報を収集する温度情報収集手段と、
前記温度設定変動手段の温度設定を上昇または下降させる指示を出し、前記温度情報収集手段によって収集された温度情報に基づいて、温度変動を解析する温度変動解析手段と、
を備えることを特徴とする情報処理装置。
【請求項１１】
前記温度変動解析手段によって解析された温度変動情報に基づいて、空気の流れを推測する気流推測手段を備えることを特徴とする請求項９または１０記載の情報処理装置。
【請求項１２】
前記温度変動解析手段および／または前記気流推測手段による分析結果に基づいてアラームを表示する表示手段を備えることを特徴とする請求項９から１１のいずれか１項に記載の情報処理装置。
【発明の詳細な説明】
【技術分野】
【０００１】
本発明は、空調機の温度設定変化と実際の対象物の温度変化を比較することによって空調の効果を判断することができる空調効果測定システム、その方法、情報処理装置に関する。
【背景技術】
【０００２】
従来、コンピュータシステム等空調は常にセットで設計されていたが、近年ではコンピュータシステムの構成変更が頻繁であったり、オフィスに多数のパーソナルコンピュータ等が導入されたりすることに起因して、空調システムとコンピュータシステム等がミスマッチを起こす事態が多発している。
【０００３】
コンピュータ等が多数設置されている部屋における空調の効果を測定するためには、専用の温度計を用いて実際に多地点を測定する手法があった。
【０００４】
ここで、空気温度検知器で検知した温度情報を室内制御装置に送り、その室内制御装置は、室内送風機の回転数等を制御して冷却処理を行うことにより、高密度顕熱負荷機器等の位置、機種、排出熱量等に応じた最適な空調を実現することができる技術が提案されている（例えば、特許文献１参照）。
【特許文献１】特開２００３−１３９３５１号公報
【発明の開示】
【発明が解決しようとする課題】
【０００５】
しかしながら、上述した従来例においては次のような問題点があった。
【０００６】
温度計の絶対数は少ないことが多く、また相当数の温度計を用意することができた場合であっても、コンピュータ専用室等のレイアウト変更が行われると、それまでの空調効果に予想外のムラが発生することがあるというも問題点があった。
【０００７】
さらに、一人に一台程度までコンピュータが普及したオフィスにおいては、空調の設計時とはかけ離れた場所に配置されていることや、温度を測定する場所自体が各個人の通常の勤務位置と離れている場合が多く、不適当な温度設定または空調気流によって人およびコンピュータの双方に悪影響が生じるという問題点があった。
【０００８】
そして、冷却対象機器からの情報をフィードバックすることは可能であっても、空調機から能動的に温度を変化させて各冷却対象機器への空調効果を測定することはできないという問題点があった。
【０００９】
そこで、本発明は、空調機から能動的に温度を変化させて、空調機の温度設定変化と実際の対象物の温度変化を比較することによって空調の効果を判断することができる空調効果測定システム、その方法、情報処理装置を提供することを目的とする。
【課題を解決するための手段】
【００１０】
請求項１記載の発明は、空調による冷却対象機器と、その冷却対象機器と接続されている情報処理装置を含む空調効果測定システムであって、冷却対象機器は自機および／またはその近傍の温度を測定する温度測定手段を備え、情報処理装置は、設定された温度の空調を行う空調機構と、空調機構の温度設定を変動する温度設定変動手段と、冷却対象機器の温度測定手段によって測定された温度情報を収集する温度情報収集手段と、温度設定変動手段の温度設定を上昇または下降させる指示を出し、温度情報収集手段によって収集された温度情報に基づいて、温度変動を解析する温度変動解析手段と、を備えることを特徴とする空調効果測定システムである。
【００１１】
請求項２記載の発明は、設定された温度の空調を行う空調機と、その空調機の空調による冷却対象機器と、その冷却対象機器と接続されている情報処理装置を含む空調効果測定システムであって、冷却対象機器は自機および／またはその近傍の温度を測定する温度測定手段を備え、情報処理装置は、空調機の温度設定を変動する温度設定変動手段と、冷却対象機器の温度測定手段によって測定された温度情報を収集する温度情報収集手段と、温度設定変動手段の温度設定を上昇または下降させる指示を出し、温度情報収集手段によって収集された温度情報に基づいて、温度変動を解析する温度変動解析手段と、を備えることを特徴とする空調効果測定システムである。
【００１２】
請求項３記載の発明は、請求項１または２記載の空調効果測定システムにおいて、情報処理装置は、温度変動解析手段によって解析された温度変動情報に基づいて、冷却対象機器の周囲の空気の流れを推測する気流推測手段を備える。
【００１３】
請求項４記載の発明は、請求項１から３のいずれか１項に記載の空調効果測定システムにおいて、情報処理装置は、温度変動解析手段および／または気流推測手段による分析結果に基づいてアラームを表示する表示手段を備える。
【００１４】
請求項５記載の発明は、空調による冷却対象機器と、その冷却対象機器と接続されている情報処理装置を利用した空調効果測定方法であって、冷却対象機器は、温度測定手段によって、自機および／またはその近傍の温度を測定するステップを有し、情報処理装置は、温度変動解析手段によって、温度設定変動手段の温度設定を上昇または下降させる指示を出すステップと、温度設定変動手段によって空調機構の温度設定を変動するステップと、空調機構によって設定された温度の空調を行うステップと、温度情報収集手段によって、冷却対象機器の温度測定手段で測定された温度情報を収集するステップと、温度変動解析手段によって、温度情報収集手段で収集された温度情報に基づいて、温度変動を解析するステップと、を有することを特徴とする空調効果測定方法である。
【００１５】
請求項６記載の発明は、設定された温度の空調を行う空調機と、その空調機の空調による冷却対象機器と、その冷却対象機器と接続されている情報処理装置を利用した空調効果測定方法であって、冷却対象機器は、温度測定手段によって、自機および／またはその近傍の温度を測定するステップを有し、情報処理装置は、温度変動解析手段によって、温度設定変動手段の温度設定を上昇または下降させる指示を出すステップと、温度設定変動手段によって、空調機の温度設定を変動するステップと、を有し、空調機は、設定された温度の空調を行うステップを有し、情報処理装置は、さらに、温度情報収集手段によって冷却対象機器の温度測定手段で測定された温度情報を収集するステップと、温度変動解析手段によって、温度情報収集手段で収集された温度情報に基づいて、温度変動を解析するステップと、を有することを特徴とする空調効果測定方法である。
【００１６】
請求項７記載の発明は、請求項５または６記載の空調効果測定方法において、情報処理装置は、気流推測手段によって、温度変動解析手段で解析された温度変動情報に基づいて、冷却対象機器の周囲の空気の流れを推測するステップをさらに有する。
【００１７】
請求項８記載の発明は、請求項５から７のいずれか１項に記載の空調効果測定方法において、情報処理装置は、表示手段によって、温度変動解析手段および／または気流推測手段による分析結果に基づいてアラームを表示するステップをさらに有する。
【００１８】
請求項９記載の発明は、設定された温度の空調を行う空調機構と、空調機構の温度設定を変動する温度設定変動手段と、測定された温度情報を収集する温度情報収集手段と、温度設定変動手段の温度設定を上昇または下降させる指示を出し、温度情報収集手段によって収集された温度情報に基づいて、温度変動を解析する温度変動解析手段と、を備えることを特徴とする情報処理装置である。
【００１９】
請求項１０記載の発明は、設定された温度の空調を行う空調機の温度設定を変動する温度設定変動手段と、測定された温度情報を収集する温度情報収集手段と、温度設定変動手段の温度設定を上昇または下降させる指示を出し、温度情報収集手段によって収集された温度情報に基づいて、温度変動を解析する温度変動解析手段と、を備えることを特徴とする情報処理装置である。
【００２０】
請求項１１記載の発明は、請求項９または１０記載の情報処理装置において、温度変動解析手段によって解析された温度変動情報に基づいて、空気の流れを推測する気流推測手段を備える。
【００２１】
請求項１２記載の発明は、請求項９から１１のいずれか１項に記載の情報処理装置において、温度変動解析手段および／または気流推測手段による分析結果に基づいてアラームを表示する表示手段を備える。
【発明の効果】
【００２２】
本発明の空調効果測定システム、その方法、情報処理装置によれば、空調機から能動的に温度を変化させ、空調機の温度設定変化と実際の対象物の温度変化との比較から空調の効果を判断することができる。
【発明を実施するための最良の形態】
【００２３】
次に、本発明の一実施の形態の構成について図面を参照して説明する。
【００２４】
図１を参照すると、本実施形態における空調効果測定システムは、冷却対象機器１０と、空調機２０と、情報処理装置３０から構成されている。冷却対象機器１０と情報処理装置３０は、ネットワーク等によって接続されている。また空調機２０と情報処理装置３０は、ネットワーク等によって接続されている。
【００２５】
冷却対象機器１０は、所定のオフィス空間等の室内に設置されている、例えば、多数のパーソナルコンピュータ、サーバシステムコンピュータ等である。冷却対象機器１０は、温度測定部を備えている。
【００２６】
空調機２０は、冷暖房機能を備える周知のエアコン等である。その構成について詳述することは省略する。
【００２７】
情報処理装置３０は、パーソナルコンピュータ等の制御部、入出力部等を備える機器であり、温度設定変動部３１と、温度情報収集部３２と、温度変動解析部３３と、気流推測部３４を備えている。
【００２８】
温度設定変動部３１は、空調機２０の温度設定を変動させる機能を有している。
【００２９】
温度情報収集部３２は、冷却対象機器１０の温度測定部によって測定された、例えば、個々のコンピュータの変動する温度情報をネットワーク等を介して収集する機能を有している。
【００３０】
温度変動解析部３３は、温度設定変動部３１によって設定した温度変動情報と、温度情報収集部３２によって収集した温度変動情報を比較してその差異等を解析する機能を有している。また、温度設定変動部３１に対して、空調機２０の温度設定を、例えば、数℃ずつ上下させるよう指示する機能を有している。
【００３１】
気流推測部３４は、温度変動解析部３３によって解析された温度変動情報に基づいて、冷却対象機器１０の周囲の空気の流れを推定する機能を有している。ここで、空調機２０が行なった温度設定変動は、冷却対象機器１０の各々の内部温度に、各々の環境に応じた遅れ時間を加味しつつ影響を及ぼすため、温度情報収集部３２によって収集された個々のコンピュータ等の温度変動幅と変動遅れ時間に基づいて、各コンピュータの設置場所における空気の流れや空調効果を推定する。
【００３２】
次に、図２を参照して、本実施形態における温度変動を測定・解析する処理のフローを詳細に説明する。
【００３３】
冷却対象機器１０は多数のパーソナルコンピュータやサーバシステムコンピュータ等からなり、これらの内部温度は個々のコンピュータの動作状況や付近の環境の微妙な変化により上下するものの、定常状態においては、外気環境に対して一定の温度を示す。
【００３４】
上記のような状態において、まず、温度情報収集部３２は、冷却対象機器１０の温度測定部によって測定された個々のコンピュータ等の温度情報をネットワークを介して収集する（Ｓ２０１）。
【００３５】
温度情報収集部３２は、収集した冷却対象機器１０の温度情報を温度変動解析部３３に送る（Ｓ２０２）。
【００３６】
温度変動解析部３３は、収集した冷却対象機器１０の温度情報を温度情報収集部３２から取得する（Ｓ２０３）。
【００３７】
温度変動解析部３３は、取得した温度情報、その温度情報を取得した時間情報等を、例えば、図３に示すような、所定のデータベースにおけるテーブル等の記憶部に格納する（Ｓ２０４）。
【００３８】
温度変動解析部３３は、温度設定変動部３１に対して、空調機２０の温度設定を、例えば、数℃上昇させるよう指示するとともに、その指示した温度情報およびその指示した時間情報を、例えば、図３に示すような、所定のデータベースにおけるテーブル等の記憶部に格納する（Ｓ２０５）。
【００３９】
温度設定変動部３１は、温度変動解析部３３から指示された温度に空調機２０の温度設定を変動させる（Ｓ２０６）。
【００４０】
空調機２０は、変動された温度設定に基づき、その設定温度に到達するまで空調を行う（Ｓ２０７）。ここで、空調機２０が行った温度設定変動は冷却対象機器１０の各々の内部温度に各々の環境に応じた遅れ時間をもって影響を及ぼすので、空調機２０からの気流が届きやすい場所では短い遅れ時間をもって温度変化が表れ、また環境によって気流が届きにくい場所では温度変化が相当遅れるか、あるいはまったく変化しないこともある。
【００４１】
温度情報収集部３２は、冷却対象機器１０の温度測定部によって測定された個々のコンピュータ等の変動した温度情報をネットワークを介して収集する（Ｓ２０８）。
【００４２】
温度情報収集部３２は、収集した冷却対象機器１０の温度情報を温度変動解析部３３に送る（Ｓ２０９）。
【００４３】
温度変動解析部３３は、収集した冷却対象機器１０の温度情報を温度情報収集部３２から取得する（Ｓ２１０）。
【００４４】
温度変動解析部３３は、取得した温度情報、その温度情報を取得した時間情報等を、例えば、図３に示すような、所定のデータベースにおけるテーブル等の記憶部に格納する（Ｓ２１１）。
【００４５】
温度変動解析部３３は、例えば、図３に示すような、所定のデータベースにおけるテーブル等の記憶部に格納されている、取得した温度情報、その温度情報を取得した時間情報等に基づいて、温度変動を解析し、適切な時間内で有効な温度変動が生じているか否かを判断し、生じていない場合には、次回以降は、設定温度変動をより大きくする等の処理がなされてもよい（Ｓ２１２）。なお、ディスプレイ等の表示部に所定のアラームが表示されることであってもよい。
【００４６】
気流推測部３４は、温度変動解析部３３によって解析された温度変動情報に基づいて、冷却対象機器１０の周囲の空気の流れを推定する（Ｓ２１３）。冷却対象機器１０の温度変動幅と変動遅れ時間から、設置場所における空調効果を推定し、気流推測結果を生成することであってもよい。遅れが短く温度変動が空調機温度とほぼ連動している場所は、空調効果が充分であるが、変動が遅れるか変動幅が小さい場所は、空調効果が小さいと推測され、高温・低温によるシステム障害または操作している人間に悪い環境であると推測される。なお、なお、ディスプレイ等の表示部に、冷却対象機器１０の設置場所とともに所定のアラームが表示されることであってもよい。
【００４７】
上記の実施形態によれば、現在かなりの密度で設置されているコンピュータシステム等をそのまま測定器として用いていることにより、特殊な測定器を追加することなく、多地点における空調効果を推測することが可能となる。
【００４８】
また、測定作業に要する人的労力がほとんど不要であり、いつでも測定可能であり、さらに、オフィスのレイアウト変更等があっても、直ちに温度情報を収集することができ、環境の悪化を検出することが可能である。
【００４９】
また、温度情報の解析結果と冷却対象機器１０の設置場所を比較対照することによって、空調改善等に必要なデータを簡易に入手することができる。
【００５０】
他の実施の形態として、上記の実施形態では空調機２０は一つの装置としてシステムが構成されているが、一般には一つのオフィス等の空間に複数の空調機２０が設置されることも多いため、これらの複数の空調機２０を個別に制御する構成が考えられる。これにより、個々の空調機２０による空調効果を推定することが可能となる。
【００５１】
なお、上述する実施の形態は、本発明の好適な実施の形態であり、本発明の要旨を逸脱しない範囲内において種々変更実施が可能である。例えば、上記の実施形態における情報処理装置３０の機能を実現するためのプログラムを各装置に読込ませて実行することにより本システムの機能を実現する処理を行ってもよい。さらに、そのプログラムは、コンピュータ読み取り可能な記録媒体であるＣＤ−ＲＯＭまたは光磁気ディスク等を介して、または伝送媒体であるインターネットまたは電話回線等を介して伝送波により他のコンピュータシステムに伝送されてもよい。
【００５２】
上記の実施の形態では、空調機２０および情報処理装置３０が別個の装置として接続されているシステム構成について説明したが、各機能が１つのコンピュータシステムとして実現されている構成や機能毎に複数のサーバ装置等が追加された構成にも適用可能であることはもちろんである。
【図面の簡単な説明】
【００５３】
【図１】本発明の実施形態における空調効果測定システムの概略構成を示す図である。
【図２】温度変動を測定・解析する処理動作を示すシーケンス図である。
【図３】温度情報および時間情報が格納されるテーブルの構成を示す図である。
【符号の説明】
【００５４】
１０    冷却対象機器
２０    空調機
３０    情報処理装置
３１    温度設定変動部
３２    温度情報収集部
３３    温度変動解析部
３４    気流推測部
【図１】
2006010258.tif 000003
【図２】
2006010258.tif 000004
【図３】
2006010258.tif 000005